(57)【要約】【課題】脱臭フィルター或いは除菌フィルターを強固に取り付けながら着脱が容易な温風暖房器のフィルター装置を提供する。【解決手段】温風吹出口と空気吸込口を備えた送風経路を形成し、途中にバーナ部を設けた機器本体と、この空気吸込口には通気面部を有し送風ファンが取り付けられたファンガードを備え、更にこのファンガードの外方には、脱臭フィルター４１或いは除菌フィルターを備え、温風暖房と共に室内の脱臭或いは除菌を行うもので、前記フィルター４１は弾性手段４９ｃを介してファンガードに直接着脱自在に取り付けることで、強固でありながら容易に着脱が行え、ビビリ音の発生や外れがなく確実に取り付けられて、温風暖房と共に室内の脱臭或いは除菌が良好に行われるものであり、更に取り外し容易で頻繁な掃除には勝手が良いものである。【選択図】  図７
2005003229.tif 000002
【特許請求の範囲】
【請求項１】
温風吹出口と空気吸込口を備えた送風経路を形成し、途中にバーナ部を設けた機器本体と、この空気吸込口には通気面部を有し送風ファンが取り付けられたファンガードを備え、更にこのファンガードの外方には、脱臭フィルター或いは除菌フィルターを備え、温風暖房と共に室内の脱臭或いは除菌を行うものに於いて、前記フィルターは弾性手段を介してファンガードに直接着脱自在に取り付けられた事を特徴とする温風暖房器のフィルター装置。
【請求項２】
前記ファンガードの上方側には、脱臭フィルターが取り付けられ、下方側には除菌フィルターが取り付けられている事を特徴とする請求項１記載の温風暖房器のフィルター装置。
【請求項３】
前記脱臭フィルターと除菌フィルターは、取り付けられる係止穴の大きさ、或いは数、或いは形、或いは位置を相違させた事を特徴とする請求項２記載の温風暖房器のフィルター装置。
【請求項４】
前記脱臭フィルターを、光再生触媒で構成した事を特徴とする請求項１及び３記載の温風暖房装置。
【請求項５】
前記除菌フィルターを、酵素を含浸させた濾紙で構成した事を特徴とする請求項１及び３記載の温風暖房装置。
【発明の詳細な説明】
【０００１】
【産業上の利用分野】
この発明は脱臭や除菌機能を付加した温風暖房器に関するものである。
【０００２】
【従来の技術】
従来よりこの種のものでは、送風ファンを備えたファンガードに脱臭フィルターを設けて、温風暖房時の送風で室内空気を脱臭フィルターに通過させて、該室内空気の脱臭を行ない温風暖房と共に室内の脱臭も同時に行うことで、常に快適な室内環境を維持しょうとするものであった。（例えば、特許文献１参照。）
【０００３】
【特許文献１】
特開２００１−３２４２２４号公報
【０００４】
【発明が解決しようとする課題】
ところでこの従来のものでは、脱臭フィルターが送風ファンの駆動部であるファンモータが固定されているファンガードに取り付けられているので、強固に取り付けられていないとビビリ音を発生したり外れてしまう危険があり、又脱臭フィルターはファンガードの通気孔を閉塞しているので、ゴミやホコリが溜まり易く頻繁に掃除する必要がある為に、取り外し容易にしなければならず、即ち、ヒビリ音防止の強固な固定と、掃除容易の着脱容易の相反する取り付け方が望まれるものであった。
【０００５】
【問題点を解決するための手段】
この発明はこの点に着目し上記欠点を解決する為、特にその構成を、温風吹出口と空気吸込口を備えた送風経路を形成し、途中にバーナ部を設けた機器本体と、この空気吸込口には通気面部を有し送風ファンが取り付けられたファンガードを備え、更にこのファンガードの外方には、脱臭フィルター或いは除菌フィルターを備え、温風暖房と共に室内の脱臭或いは除菌を行うものに於いて、前記フィルターは弾性手段を介してファンガードに直接着脱自在に取り付けたものである。
【０００６】
これによれば、脱臭フィルター或いは除菌フィルターは、ファンガードに形成された係止穴に、一側方の係止脚を挿入して係止すると共に、他側方の弾性手段からなるバネ脚を対応する係止穴に挿入して係止することで、強固でありながら容易に着脱が行え、ビビリ音の発生や外れがなく確実に取り付けられて、温風暖房と共に室内の脱臭或いは除菌が良好に行われるものであり、更に取り外し容易で頻繁な掃除には勝手が良いものである。
【０００７】
又請求項２によれば、ファンガードの上方側には、脱臭フィルターを取り付け、下方側には除菌フィルターを取り付けたので、温風暖房と共に室内の脱臭と除菌が同時に行え、更に快適な室内環境を得ることが出来、更に上方側に脱臭フィルターが備えられていることで、消火時の送風ファンの一旦停止時に消火で発生する未燃ガスの臭気も除去出来、消火時の嫌な臭いも確実に脱臭出来るものである。
【０００８】
又請求項３によれば、脱臭フィルターと除菌フィルターは、取り付けられる係止穴の大きさ、或いは数、或いは形、或いは位置を相違させているので、脱臭フィルターと除菌フィルターを間違えて取り付ける心配がなく、特に紙で出来ていて熱に弱い除菌フィルターを消火時に熱気が通過する上方側に取り付けて焼損させてしまう危険がなく、安心して使用出来るものである。
【０００９】
又請求項４によれば、脱臭フィルターを光再生触媒で構成したことで、室内の蛍光灯の光や、定期的に天日に干して直射日光を当てることで再生するので、半永久的に使用出来て極めて便利であり、且つ経済的でもある。
【００１０】
又請求項５によれば、除菌フィルターを酵素を含浸させた濾紙で構成したことで、簡単な構成でありながら、容易に空気中の菌の除菌が行われ、このフィルターも半永久的に使用が可能で経済的である。
【００１１】
【発明の実施の形態】
次にこの発明に係る温風暖房装置を図面に示された一実施形態で説明する。
１は温風機器本体で、２は前面上部に備えられた操作部、３は温風を案内するルーバ４が取り付けられた温風吹出口、５は背面の空気吸込口６にファンガード７を介して取り付けられた送風ファン、８は前記空気吸込口６と温風吹出口３とを連通する送風経路、９は前記送風経路８内にバーナヘッド１０を突出して設けられたバーナ部、１１は前記バーナヘッド１０を囲堯して燃焼空間を形成する燃焼筒、１２は前記送風経路８内で前記燃焼筒１１の真上に配設された遮熱板である。
【００１２】
前記機器本体１の外装体は、前面を覆う前パネル１３と、上面を覆う上面板１４と、側面及び背面を覆う背面板１５とを置き台１６の上に固定して構成されている。
【００１３】
次に１７は灯油などの液体燃料を供給するカートリッジ式タンク、１８はこのカートリッジ式タンク１７からの燃料を一時的に溜め置く固定タンク、１９は固定タンク１８内の燃料量が所定量以下になるとオンするフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【００１４】
２５は液体燃料を気化する気化器、２６は前記気化器２５を燃料が気化可能な温度まで加熱する気化ヒータ、２７は前記気化器２５の温度を検知する気化温度センサ、２８はバーナヘッド８の外周に設けられた炎孔網、２９は燃焼熱を気化器２５へ回収する熱回収リング、３０は気化ガスにスパーク放電して点火する点火器、３１は炎の状態を監視するフレームロッドである。
【００１５】
３２は負イオン発生手段で、３本の放電針３３を横に並設し温風吹出口３上部で温風の流れが殆どない場所に下向きに取り付けられた電極ユニット３４と、該電極ユニット３４に直流高電圧を供給することで放電針３３先端より負イオンを発生させる電源ユニット３５と、この電極ユニット３４と電源ユニット３５とを結ぶ高電圧コ−ド３６とから構成されており、電源ユニット３５はバ−ナ部９から離れ熱的影響を受けない操作部２の横に取り付けられている。
【００１６】
３７は前パネル１３から突設し最上部のル−バ４まで延びて横に広がったカバ−体で、幼児等が指を入れて放電針３３で怪我をしないように、指が入らないように密閉して電極ユニット３４を隠蔽すると共に、正面には発生した負イオンを温風の吸引力で室内に放出すかる為に横長のスリット３８が形成されている。
【００１７】
３９はファンガード７に複数のパンチング穴で形成された通気面部で、この通気面部３９の上方側には３個の係止穴４０ａ、４０ｂ、４０ｃで横長の脱臭フィルター４１が取り付けられ、下方側には同じく３個の係止穴４２ａ、４２ｂ、４２ｃで横長の除菌フィルター４３が取り付けられており、各フィルター４１、４３と通気面部３９との間にはそれぞれ５ｍｍ〜１０ｍｍの空気の流通隙間４４、４５が設けられ、各フィルター４１、４３がゴミやホコリで詰まってもこの流通隙間４４、４５を通って、室内空気は送風されて温風の送風には何らの影響も与えないものである。
【００１８】
前記脱臭フィルター４１は、特殊紙をコルゲート加工したハニカム形状フィルターを、酸化チタン：アセトアルデヒド吸着剤：ゼオライト＝８：３：３７の配合液に浸した光再生触媒４６を、合成樹脂で形成されたフィルターカバー４７と支持カバー４８でサンドイッチ状に収納して構成されており、光再生触媒４６は空気中のタバコ臭やペット臭等の室内の嫌なニオイを吸着して脱臭するが、室内の蛍光灯の光或いは、６ヶ月に１回約６時間程度直射日光に当てることで再び再生されて半永久的に使用されるものである。
【００１９】
又前記フィルターカバー４７の一側方には、係止穴４０ａ、４０ｂに係止する２つの係止脚４９ａ、４９ｂが設けられ、縦列した縦長の２つの係止穴４０ａ、４０ｂの内上の係止穴４０ａを下の係止穴４０ｂより大きくしており、この係止穴４０ａ、４０ｂに先端のＬ字部を係止する係止脚４９ａ、４９ｂも上下大小と大きさを相違させており、更に他側方には、同じく縦長の係止穴４０ｃに係止する、材料の合成樹脂を利用して弾性手段を構成するＵ字状のバネ脚４９ｃが備えられ、このバネ脚４９ｃの弾性を利用して取り付けられるもので、強固な取り付けでありながら着脱を容易にしているものである。
【００２０】
一方前記除菌フィルター４３は、ポリプロピレンのネット上に酵素含浸紙をひだ折りして張り合わせた濾紙５０を、合成樹脂で形成されたフィルターカバー５１と支持カバ５２でサンドイッチ状に収納して構成されており、この濾紙５０は補集した空気中のカビや細菌を天然酵素の溶菌作用で強力に除菌するものである。
【００２１】
又前記フィルターカバー５１の一側方には、係止穴４２ａ、４２ｂに係止する２つの係止脚５３ａ、５３ｂが設けられ、縦列した縦長の２つの係止穴４２ａ、４２ｂの内下の係止穴４２ｂを上の係止穴４２ａより大きくしており、この係止穴４２ａ、４２ｂに先端のＬ字部を係止する係止脚５３ａ、５３ｂも上下小大と大きさを相違させており、更に他側方には、同じく縦長の係止穴４２ｃに係止する、材料の合成樹脂を利用して弾性手段を構成するＵ字状のバネ脚５３ｃが備えられ、このバネ脚５３ｃの弾性を利用して取り付けられるもので、強固な取り付けでありながら着脱を容易にしているものである。
【００２２】
このように脱臭フィルター４１と除菌フィルター４３とは、取り付けられる穴の上下の大きさが相違していることで、間違えて取り付けられることが防止され、機器組み立て時のバカよけになると共に、使用者による取り外しての掃除後の取り付けを間違える心配がなく、特に紙で出来ていて熱に弱い除菌フィルター４３を消火時に熱気が通過する上方側に取り付けて焼損させてしまう危険がなく、安心して使用出来るものである。
【００２３】
更に前記脱臭フィルター４１及び除菌フィルター４３は、正面視の面積が各６０〜８０ｃｍ２で２つ合わせた面積は１２０〜１６０ｃｍ２に対して、ファンガード７の通気面部３９の面積は４８０〜６２４ｃｍ２であり、脱臭フィルター４１及び除菌フィルター４３の２つを合わせた面積は、通気面部３９の半分以下であるので、温風用の送風量は確実に確保出来、しかも流通隙間４４、４５を有することから、更に確実に温風暖房は行われ安心して使用出来るものである。
【００２４】
５４は前パネル１３のほぼ中央に備えられた機器本体１の作動状態をランプの発光色で表示するカラ−表示器で、機器本体１内に複数のランプを円状に配置したランプ部５５を設け、通常運転時は緑色の点灯、セ−ブ運転時は青色の点灯、給油が必要な時には赤色の点滅等を行うものである。
５６は負イオンの発生状態を表示するイオン発生表示部で、負イオンの発生時に点灯する青色ランプ５７の青色を表示するものである。
【００２５】
５８はこの機器本体１の制御を行う制御装置であって、マイコン（図示せず）を中心に構成されており、入力側には各種のセンサ−等が接続すると共に、出力側には各種の駆動部品が接続し、この内電磁ポンプ２０への駆動開始及び停止信号を発信すると同時に、負イオン発生手段３２の電源ユニット３５にも駆動開始及び停止信号を発信するものである。５９は前記操作部２に設けられた操作部基盤であり、操作部２に設けられた各種スイッチや表示ランプがこの操作部基盤５９を介して前記制御装置５８に接続されている。
【００２６】
６０は運転開始からの時間をカウントして所定時間（３時間）経過すると自動消火させる消し忘れタイマー手段で、通常運転モードを構成するものであり、６１は予め設定されたタイマー時刻に機器の運転を開始させ、運転開始から所定時間（１時間）経過すると自動消火させるおはようタイマー手段で、６２は残り燃料量が所定量以下になると前記電磁ポンプ２０の駆動パルス数をカウント開始し、このカウントしたパルス数が所定値以上になると自動消火させる燃料切れ消火手段である。尚、この燃料切れ消火手段６２は、残り燃料量が所定量以下になってから一定時間の経過で自動消火させるものや、残り燃料量が前記の所定量より少ない第２の所定量以下になったことをを第２のフロートスイッチにより検知して自動消火させるものでも良い。
【００２７】
６３は通常運転モード以外の運転モードを構成するセーブ運転手段で、サーミスタから成る室温センサ６４により検出される室温と、アップスイッチ６５とダウンスイッチ６６から成る設定温度手段６７によって任意に設定される設定温度とを比較して、室温が設定温度より３℃高くなると燃焼を自動的に消火させ、そして室温が設定温度より０．３℃以下に低下することで自動的に燃焼開始させ、燃料の無駄な消費を防止した省エネルギーの運転を可能としたものである。
【００２８】
前記操作部２には機器の運転／停止を指示する運転スイッチ６８と、前記消し忘れタイマー手段６０のカウント時間をリセットして再度所定時間（３時間）のカウントを開始させる延長スイッチ６９と、前記通常運転モードの消し忘れタイマー手段６０の運転から、通常モード以外の運転モードであるセーブ運転手段６３による運転に切替るセーブ運転スイッチ７０と、前記おはようタイマー手段６１を動作させるタイマースイッチ７１と、押圧のＯＮ／ＯＦＦにより負イオン発生手段３２の負イオンの発生動作を停止及び送風ファン５と共に運転開始させるイオン入／切スイッチ７２と、セーブ運転中を表示するセーブ運転ランプ７３と、タイマー運転中を表示するタイマーランプ７４と、脱臭・除菌作動状態を表示する脱臭・除菌ランプ７５、運転状態では室温と設定温度を表示し、運転停止状態では時刻を表示し各種エラ−も表示する液晶表示器７６とが設けられている。７７は表示切替スイッチである。
【００２９】
次にこの発明一実施形態の作動について説明する。
今運転スイッチ６８を押圧すれば、気化ヒ−タ２６が通電されて気化器２５の予熱が開始され、そしてこの気化器２５が燃油の気化可能温度に達したことを気化温度センサ２７が検知することで、制御装置５８から電磁ポンプ２０、燃焼ファン２３、点火器３０へそれぞれ駆動信号が出力されバ−ナ部９で予混合方式の燃焼が開始され、送風ファン５の駆動でこの燃焼熱が温風吹出口３から温風として放出され室内の暖房が行われる。
【００３０】
又制御装置５８から電磁ポンプ２０への駆動信号と同時に負イオン発生装置３２にも該制御装置５８から駆動信号が出力され、放電針３３から約３，０００〜５，０００個／ＣＣの負イオンが発生し、この負イオンはバ−ナ部９での燃焼で発生する負イオンと正イオンのうち正イオンと温風吹出口３付近で結合し、室内のイオンバランスを負イオンの方が正イオンより３，０００〜７，０００個／ＣＣ多くなる状態とするものである。
更に燃焼カロリ−でも相違するが、最高カロリ−が２，７５０キロカロリ−／ｈのもので、強火力では約４，０００個／ＣＣ負イオンを多くし、弱火力では約６，０００個／ＣＣ負イオンが多いものである。
【００３１】
一方暖房運転の停止は、運転スイッチ６８を再び押圧すれば、制御装置５８によって気化ヒ−タ２６、電磁ポンプ２０、燃焼ファン２３、送風ファン５等の駆動部品への通電を停止することで、バ−ナ部９の燃焼は消火され温風暖房も停止されるものであり、又この電磁ポンプ２０の駆動停止と同期して制御装置５８からの駆動停止信号で負イオン発生手段３２も駆動停止され、負イオンの発生が停止されるものである。
【００３２】
従って、従来より燃焼で発生する正イオンと負イオンは同数でバランスが取れていたものであり、又人工的に発生させたイオン自体も数秒で消滅するので、環境や人への影響は何ら考えていなかったが、これを負イオン発生装置３２によって燃焼時に発生する正イオンを積極的に減らして、室内のイオンバランスを負イオンが多い状態とすることで、滝の近くで感じるさわやかで爽快な感じが得られ、疲労回復に良くイライラ感を解消出来るようにしたものである。
【００３３】
更に上記暖房運転時には、送風ファン５の駆動によって室内空気がファンガード７の通気面部３９より機器本体１内に流入することで、脱臭フィルター４１及び除菌フィルター４３を室内空気が流通し、ファンガード７の上方側の脱臭フィルター４１では、空気中のタバコ臭やペット臭等のニオイの元を、脱臭フィルター４１中のアセトアルデヒド吸着剤、ゼオライト成分が吸着して脱臭するものであり、又この脱臭フィルター４１は消火時の臭気低減の為に、送風ファン５が一旦する数十秒間に、ファンガード７の上方側に備えられていることで、未燃ガスも通過させてこの臭気成分も吸着して消火時の臭気も低減するもので、その後冷却の為に再び送風ファン５が駆動すれば脱臭フィルター４１も再び室内空気の脱臭を再開するものであり、又この脱臭フィルター４１は光再生触媒４６で構成されているので、室内の蛍光灯の光や、光再生触媒４６をフィルターカバー４７から取り出して直射日光に当てることで、酸化チタン成分が吸着された臭気成分を溶解して吸着能力を再生させ、半永久的に使用出来るようにするものである。
【００３４】
又暖房時にはファンガード７の下方側に備えられた除菌フィルター４３中も室内空気が流通することで、濾紙５０で捕集した空気中のカビや細菌を天然酵素の溶菌作用で強力に除菌して、室内空気を菌のない良好な状態にすることが出来るものであり、この２つのフィルター４１、４３によって、室内暖房と共に室内空気の脱臭と除菌が同時に行え、クリーンな空気を提供して快適空間を得ることが出来るものである。
【００３５】
更に脱臭フィルター４１及び除菌フィルター４３は、それぞれ取り付けられているファンガード７の通気面部３９との間には空気の流通隙間４４、４５が設けられているので、各フィルター４１、４３がゴミやホコリで目詰まりを起こしても、温風用の室内空気はこの流通隙間４４、４５を介して流入され、温風量の減少や機器本体１内の温度上昇で該機器本体１自体が焼損すると言う異常事態を引き起こすことがなく、各フィルター４１、４３の掃除をこまめにしなくても、通常の温風暖房は何ら支障なく行われ、常に安心して使用出来るものである。
勿論、各フィルター４１、４３の掃除を定期的に行えば、上記の通り暖房と共に室内空気の脱臭及び除菌が常に同時に行えるものである。
【００３６】
一方脱臭フィルター４１と除菌フィルター４３の送風ファン５の駆動部であるモーターが固定されているファンガード７への取付は、それぞれ弾性手段であるバネ脚４９ｃ、５３ｃを利用しての取り付けであるので、取り外し容易なワンタッチ取り付けでありながら強固な取り付けとなり、ビビリ音の発生もなく、各フィルター４１、４３に溜まったゴミやホコリの除去のための掃除も容易に行え、しかも各フイルター４１、４３を間違えて取り付ける心配もいらないものである。
【００３７】
又ここでは空気中に負イオンが放射されていることで、空気中のニオイ成分や細菌に負イオンが付着し、脱臭フィルター４１及び除菌フィルター４３への付着量が倍増して、脱臭及び除菌能力が上がって、短時間に室内空気をクリーンな状態にすることが出来るものである。
【００３８】
尚、この一実施形態では、脱臭フィルター４１と除菌フィルター４３の２つのフィルターを備えたものを説明したが、このに限定されることなく、例えばどちらか一方のフィルターでも良いものであり、又ここでは係止穴４０ａ、４０ｂ、４２ａ、４２ｂの大きさで取り付けられるフィルターを特定したが、例えば数や形状や位置を相違させて特定しても良いものである。
【００３９】
【発明の効果】
以上のようにこの発明によれば、脱臭フィルター或いは除菌フィルターは、ファンガードに形成された係止穴に、一側方の係止脚を挿入して係止すると共に、他側方の弾性手段からなるバネ脚を対応する係止穴に挿入して係止することで、強固でありながら容易に着脱が行え、ビビリ音の発生や外れがなく確実に取り付けられて、温風暖房と共に室内の脱臭或いは除菌が良好に行われるものであり、更に取り外し容易で頻繁な掃除には勝手が良いものである。
【００４０】
又請求項２によれば、ファンガードの上方側には、脱臭フィルターを取り付け、下方側には除菌フィルターを取り付けたので、温風暖房と共に室内の脱臭と除菌が同時に行え、更に快適な室内環境を得ることが出来、更に上方側に脱臭フィルターが備えられていることで、消火時の送風ファンの一旦停止時に消火で発生する未燃ガスの臭気も除去出来、消火時の嫌な臭いも確実に脱臭出来るものである。
【００４１】
又請求項３によれば、脱臭フィルターと除菌フィルターは、取り付けられる係止穴の大きさ、或いは数、或いは形、或いは位置を相違させているので、脱臭フィルターと除菌フィルターを間違えて取り付ける心配がなく、特に紙で出来ていて熱に弱い除菌フィルターを消火時に熱気が通過する上方側に取り付けて焼損させてしまう危険がなく、安心して使用出来るものである。
【００４２】
又請求項４によれば、脱臭フィルターを光再生触媒で構成したことで、室内の蛍光灯の光や、定期的に天日に干して直射日光を当てることで再生するので、半永久的に使用出来て極めて便利であり、且つ経済的でもある。
【００４３】
又請求項５によれば、除菌フィルターを酵素を含浸させた濾紙で構成したことで、簡単な構成でありながら、容易に空気中の菌の除菌が行われ、このフィルターも半永久的に使用が可能で経済的である。
【図面の簡単な説明】
【図１】この発明の一実施例を示す温風暖房装置の斜視図。
【図２】同温風暖房装置の概略断面図。
【図３】同前パネルを取り外した状態の正面図。
【図４】同燃焼部の概略説明図。
【図５】同各フィルターを備えたファンガードの正面図。
【図６】同各フィルターを取り外した状態のファンガードの正面図。
【図７】同脱臭フィルターの分解斜視図。
【図８】同除菌フィルターの分解斜視図。
【図９】同脱臭フィルターの背面図。
【図１０】同除菌フィルターの背面図。
【図１１】同電気回路のブロック図。
【符号の説明】
１  温風暖房器本体
３  温風吹出口
５  送風ファン
６  空気吸込口
７  ファンガード
８  送風経路
９  バ−ナ部
３９  通気面部
４０ａ、４０ｂ、４０ｃ  係止穴
４１  脱臭フィルター
４２ａ、４２ｂ、４２ｃ  係止穴
４３  除菌フィルター
４４、４５  流通隙間
４６  光再生触媒
４９ａ、４９ｂ  係止脚
４９ｃ、５３ｃ  バネ脚（弾性手段）
５０  濾紙
５３ａ、５３ｂ  係止脚
【図１】
2005003229.tif 000003
【図２】
2005003229.tif 000004
【図３】
2005003229.tif 000005
【図４】
2005003229.tif 000006
【図５】
2005003229.tif 000007
【図６】
2005003229.tif 000008
【図７】
2005003229.tif 000009
【図８】
2005003229.tif 000010
【図９】
2005003229.tif 000011
【図１０】
2005003229.tif 000012
【図１１】
2005003229.tif 000013